【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】
複数ゾーンに分割された可動範囲の中での、光学素子の位置するゾーンを検出し、前記検出されたゾーンを表す信号を出力する第１の検出手段と、
前記ゾーン内での移動量を示すために、前記光学素子の予め決められた移動量ごとにパルス信号を出力する第２の検出手段と、
前記第１の検出手段から出力されるゾーン信号と前記光学素子の駆動により前記第２の検出手段から出力されるパルス信号数を記憶する記憶手段と、
前記記憶手段に記憶されたゾーン信号とパルス信号数とに基づいて前記光学素子の駆動前の絶対位置を表す位置情報を生成する位置情報生成手段と、を有することを特徴とする光学素子の位置検出装置。
【請求項２】
前記位置情報生成手段は、前記第１の検出手段から出力されたゾーン信号に基づいて前記光学素子の位置するゾーンを検出し、
前記光学素子を、前記第１の検出手段から出力されるゾーン信号が切り換わる、前記光学素子の位置するゾーンのゾーン端を検出する位置に所定方向に駆動して前記第２の検出手段から出力されるパルス信号に基づいてこのときの光学素子の移動量を検出し、
前記位置情報を、前記光学素子が前記ゾーン端から前記所定方向と逆方向に前記検出した移動量の分移動した位置を表すように生成することを特徴とする請求項１に記載の光学素子の位置検出装置。
【請求項３】
前記位置情報生成手段は、前記光学素子の前記位置情報を生成するための駆動に続いて、前記光学素子を、前記所定方向と逆方向に前記検出した移動量の分駆動することを特徴とする請求項２に記載の光学素子の位置検出装置。
【請求項４】
前記第１の検出手段から出力されるゾーン信号に基づいて検出された光学素子の位置するゾーンが前記複数ゾーンのうち前記可動範囲の端部のゾーンであるときは、
前記位置情報生成手段は、前記位置情報を、前記端部のゾーンとこれに隣接するゾーンとの間のゾーン端位置を表すように生成することを特徴とする請求項２に記載の光学素子の位置検出装置。
【請求項５】
請求項１から４のいずれかに記載の位置検出装置と、
この位置検出装置により生成された前記位置情報を記憶する記憶手段と、
前記光学素子を前記記憶手段に記憶された前記位置情報により表される絶対位置に復帰駆動する駆動制御手段とを有することを特徴とする光学素子の制御装置。
【請求項６】
前記駆動制御手段は、前記光学素子を、
前記第１の検出手段から出力されるゾーン信号に基づいて、前記記憶手段に記憶された前記位置情報中における光学素子の位置するゾーンの前記所定方向側のゾーン端を検出する位置に駆動し、
前記第２の検出手段から出力されるパルス信号に基づいて、前記ゾーン端から前記所定方向と逆方向に、前記記憶手段に記憶された前記位置情報中における前記検出した移動量の分駆動することを特徴とする請求項５に記載の光学素子の制御装置。
【請求項７】
前記位置情報生成手段は、前記第１の検出手段から出力されたゾーン信号に基づいて前記光学素子の位置するゾーンの絶対位置を検出し、
前記光学素子を、前記第１の検出手段から出力されるゾーン信号が切り換わる、前記光学素子の位置するゾーンのゾーン端を検出する位置に所定方向に駆動して前記第２の検出手段から出力されるパルス信号に基づいてこのときの光学素子の移動量を第１の移動量として検出し、
この光学素子を、前記第２の検出手段から出力されるパルス信号に基づいて前記所定方向に所定の第２の移動量の分駆動し、
さらにこの光学素子を、前記第１の検出手段から出力されるゾーン信号に基づいて前記ゾーン端を検出する位置に前記所定方向と逆方向に駆動して前記第２の検出手段から出力されるパルス信号に基づいてこのときの光学素子の移動量を第３の移動量として検出し、
前記位置情報を、前記光学素子を前記所定方向とは逆方向に駆動する場合における前記光学素子が前記ゾーン端から前記第２の移動量と前記第３の移動量との差に基づき前記第１の移動量を補正して得られる補正移動量の分移動した位置を表すように生成することを特徴とする請求項１に記載の光学素子の位置検出装置。
【請求項８】
前記位置情報生成手段は、前記光学素子の前記位置情報を生成するための駆動に続いて、前記光学素子を、前記所定方向と逆方向に前記補正移動量の分駆動することを特徴とする請求項７に記載の光学素子の位置検出装置。
【請求項９】
前記第１の検出手段から出力されるゾーン信号に基づいて検出された光学素子の位置するゾーンが前記複数ゾーンのうち前記可動範囲の端部のゾーンであるときは、
前記位置情報生成手段は、前記位置情報を、前記端部のゾーンとこれに隣接するゾーンとの間のゾーン端位置を表すように生成することを特徴とする請求項７に記載の光学素子の位置検出装置。
【請求項１０】
請求項７から９のいずれかに記載の位置検出装置と、
この位置検出装置により生成された前記位置情報を記憶する記憶手段と、
前記光学素子を前記記憶手段に記憶された前記位置情報により表される絶対位置に復帰駆動する駆動制御手段とを有することを特徴とする光学素子の制御装置。
【請求項１１】
前記駆動制御手段は、前記光学素子を、
前記第１の検出手段から出力されるゾーン信号に基づいて、前記記憶手段に記憶された前記位置情報中における光学素子の位置するゾーンの前記所定方向側のゾーン端を検出する位置に駆動し、
前記第２の検出手段から出力されるパルス信号に基づいて前記所定方向に前記第２の移動量の分駆動し、
前記第１の検出手段から出力されるゾーン信号に基づいて前記光学素子の位置するゾーンの前記所定方向側のゾーン端を検出する位置に前記所定方向とは逆方向に駆動し、
さらに、前記第２の検出手段から出力されるパルス信号に基づいて、前記所定方向と逆方向に、前記記憶手段に記憶された前記位置情報中における補正移動量の分駆動することを特徴とする請求項１０に記載の光学素子の制御装置。
【請求項１２】
記憶指示操作が行われる記憶操作手段と、復帰指示操作が行われる復帰操作手段とを有しており、
前記記憶操作手段が操作されることに応じて前記位置情報の記憶動作を行い、前記復帰操作手段が操作されることに応じて前記光学素子の復帰駆動を行うことを特徴とする請求項５，６，１０および１１のいずれかに記載の光学素子の制御装置。
【請求項１３】
請求項１〜４，７〜９のいずれかに記載の光学素子の位置検出装置を備えたことを特徴とする光学機器。
【請求項１４】
請求項５，６，１０〜１２のいずれかに記載の光学素子の制御装置を備えたことを特徴とする光学機器。
【請求項１５】
前記光学素子のマニュアル操作部材の操作に応じたメカ的駆動を可能とするマニュアルモードと、前記光学素子のアクチュエータによる駆動を可能とするオートモードとを選択的に設定でき、前記マニュアルモード設定時に前記位置検出装置を動作させることを特徴とする請求項１３又は１４に記載の光学機器。
【手続補正２】
【補正対象書類名】明細書
【補正対象項目名】００１０
【補正方法】変更
【補正の内容】
【００１０】
絶対値エンコーダ１０８は、例えば、固定された不図示のグレーコードパターンとこれに相対する不図示の電気接点をフォーカス駆動機構１０６における伝達機構の一部に設けたもので、フォーカスレンズ１０７の移動に伴いその電気接点によってグレーコードパターンを検出することにより絶対位置検出を行うものである。
【手続補正３】
【補正対象書類名】明細書
【補正対象項目名】００２３
【補正方法】変更
【補正の内容】
【００２３】
前述のフォーカスプリセット機能の説明の通り、所望のフォーカスレンズ位置でＦＰ記憶ＳＷを作動させた後、オートフォーカス（ＡＦ）あるいはマニュアルフォーカス（ＭＦ）動作によって、フォーカスレンズの駆動が行われた後でも、ＦＰ駆動ＳＷを作動させることでフォーカスレンズをモータにより素早く所望の位置に移動させるために、ＦＰ記憶ＳＷ作動後のフォーカスレンズ駆動量をモニタし続けなければならない。
【手続補正４】
【補正対象書類名】明細書
【補正対象項目名】００３３
【補正方法】変更
【補正の内容】
【００３３】
【課題を解決するための手段】
上記の課題を解決するために、本発明では、複数ゾーンに分割された可動範囲の中での、光学素子の位置するゾーンを検出し、検出されたゾーンを表す信号を出力する第１の検出手段と、ゾーン内での移動量を表すために光学素子の予め決められた移動量ごとにパルス信号を出力する第２の検出手段と、第１の検出手段から出力されるゾーン信号と光学素子の駆動により第２の検出手段から出力されるパルス信号数を記憶する記憶手段と、記憶手段に記憶されたゾーン信号とパルス信号数とに基づいて、光学素子の駆動前の絶対位置を表す位置情報を生成する位置情報生成手段とを有する光学素子の位置検出装置を構成している。
【手続補正５】
【補正対象書類名】明細書
【補正対象項目名】００３５
【補正方法】変更
【補正の内容】
【００３５】
具体的には、位置情報生成手段に、例えば、第１の検出手段から出力されたゾーン信号に基づいて光学素子の位置するゾーンの絶対位置を検出させ、光学素子を、第１の検出手段から出力される信号が切り換わる、光学素子の位置するゾーンのゾーン端を検出する位置に所定方向に駆動させて前記第２の検出手段から出力されるパルス信号に基づいてこのときの光学素子の移動量を検出させ、位置情報を、光学素子が上記ゾーン端から上記所定方向と逆方向に上記検出した移動量の分移動した位置を表すように生成させる。
【手続補正６】
【補正対象書類名】明細書
【補正対象項目名】００３６
【補正方法】変更
【補正の内容】
【００３６】
そして、こうして生成された位置情報を、記憶操作手段（例えば、ＦＰ記憶ＳＷ）の操作に応じて記憶手段に記憶させ、この記憶した位置情報に対応する位置から光学素子が移動した状態での復帰操作手段（例えば、ＦＰ駆動ＳＷ）の操作に応じて、光学素子を上記記憶手段に記憶された位置情報により表される絶対位置に復帰駆動させるようにすれば、安価で精度の高い光学素子のプリセット機能を実現することが可能になる。
【手続補正７】
【補正対象書類名】明細書
【補正対象項目名】００３７
【補正方法】変更
【補正の内容】
【００３７】
なお、光学素子を復帰駆動させる際には、駆動制御手段に、光学素子を、第１の検出手段から出力されるゾーン信号に基づいて、記憶手段に記憶された位置情報中における光学素子の位置するゾーンの上記所定方向側のゾーン端が検出される位置に駆動させ、第２の検出手段から出力されるパルス信号に基づいて、上記所定方向と逆方向に、記憶手段に記憶された位置情報中における上記検出した移動量の分駆動させるようにすればよい。これにより、上記第１および第２の検出手段を用いた光学素子の復帰駆動が可能になる。
【手続補正８】
【補正対象書類名】明細書
【補正対象項目名】００３８
【補正方法】変更
【補正の内容】
【００３８】
また、位置検出装置において、位置情報生成手段に、第１の検出手段から出力された信号に基づいて光学素子の位置するゾーンの絶対位置を検出させ、光学素子を、第１の検出手段から出力されるゾーン信号が切り換わる、光学素子の位置するゾーンのゾーン端を検出する位置に所定方向に駆動させて第２の検出手段から出力されるパルス信号に基づいてこのときの光学素子の移動量を第１の移動量として検出させ、この光学素子を、第２の検出手段から出力されるパルス信号に基づいて上記所定方向に所定の第２の移動量の分だけ駆動させ、さらに、この光学素子を、第１の検出手段から出力されるゾーン信号に基づいて上記ゾーン端を検出する位置に上記所定方向と逆方向に駆動させて第２の検出手段から出力されるパルス信号に基づいてこのときの光学素子の移動量を第３の移動量として検出させ、位置情報を、光学素子を上記所定方向とは逆方向に駆動する場合における光学素子が、上記ゾーン端から、第２の移動量と第３の移動量との差に基づき第１の移動量を補正して得られる補正移動量の分移動する位置を表すように生成させるようにしてもよい。
【手続補正９】
【補正対象書類名】明細書
【補正対象項目名】００３９
【補正方法】変更
【補正の内容】
【００３９】
これより、第一の検出手段の光学素子の移動方向における検出ヒステリシスに影響を加味した位置情報の生成が可能となる。
【手続補正１０】
【補正対象書類名】明細書
【補正対象項目名】００４０
【補正方法】変更
【補正の内容】
【００４０】
なお、この場合において光学素子を復帰駆動する際には、駆動制御手段に、光学素子を、第１の検出手段から出力されるゾーン信号に基づいて、記憶手段に記憶された位置情報中における光学素子の位置するゾーンの上記所定方向側のゾーン端を検出する位置に駆動させ、第２の検出手段から出力されるパルス信号に基づいて上記所定方向に第２の移動量の分だけ駆動させ、第１の検出手段から出力されるゾーン信号に基づいて上記光学素子が位置するゾーンの上記所定方向側のゾーン端が検出される位置に上記所定方向とは逆方向に駆動させ、さらに、第２の検出手段から出力されるパルス信号に基づいて、このゾーン端から上記所定方向と逆方向に、記憶手段に記憶された位置情報中における補正移動量の分駆動させるようにする。
【手続補正１１】
【補正対象書類名】明細書
【補正対象項目名】００６８
【補正方法】変更
【補正の内容】
【００６８】
ここで、レンズマイコン９は、ＦＰ記憶ＳＷ１８が操作された時点でのフォーカスレンズ８の絶対位置Ｐ０を表す素子位置情報を、ＦＰ記憶ＳＷ１８が操作された時点でフォーカスレンズ８が位置する検出ゾーン（光学素子の位置するゾーン）ＦＰ＿Ｚの至近側ゾーン端（すなわち、Ｚ３とＺ４との境界位置）から相対値エンコーダ１５のパルス数でＦＰ＿ＣＯＮＴ分だけ無限側に移動した位置を表すように生成し、内蔵メモリに記憶する。
【手続補正１２】
【補正対象書類名】明細書
【補正対象項目名】００７５
【補正方法】変更
【補正の内容】
【００７５】
このため、前述のＳＴ１０１において、フォーカスレンズ８が至近端ゾーンにあった場合、ＦＰ＿Ｚ＝＿ＭＯＤ−１、ＦＤ＿ＣＯＮＴ＝０とし、またフォーカスレンズ８が無限遠端ゾーンであった場合、ＦＰ＿Ｚ＝Ｚ＿ＩＮＦ、ＦＰ＿ＣＯＮＴ＝０とし記憶動作を終了する。すなわち、フォーカスレンズ８が至近端ゾーンに位置していた場合は、記憶位置を至近端ゾーンから１つ無限遠側のゾーンの至近端側ゾーン端（つまり、至近端ゾーンと１つ無限遠側のゾーンとの間のゾーン端）とし、一方、レンズが無限遠端ゾーンに位置していた場合は、記憶位置をこの無限遠端ゾーンの至近端側ゾーン端（つまり、無限遠端ゾーンと１つ至近側のゾーンとの間のゾーン端）とする
【手続補正１３】
【補正対象書類名】明細書
【補正対象項目名】０１２２
【補正方法】変更
【補正の内容】
【０１２２】
ＳＴ２３８：フォーカス駆動装置１２を起動し、図７中、至近方向へのフォーカスレンズ８の移動を開始するとともに、ＣＯＮＴ２をデクリメント許可し、フォーカスレンズ８の移動に伴う相対値エンコーダ１５からのパルス入力に応じてＣＯＮＴ２をデクリメントする。
【手続補正１４】
【補正対象書類名】図面
【補正対象項目名】図１
【補正方法】変更
【補正の内容】
【図１】
2001201677.tif 000001
【手続補正１５】
【補正対象書類名】図面
【補正対象項目名】図６
【補正方法】変更
【補正の内容】
【図６】
2001201677.tif 000002
【手続補正１６】
【補正対象書類名】図面
【補正対象項目名】図８
【補正方法】変更
【補正の内容】
【図８】
2001201677.tif 000003
【手続補正１７】
【補正対象書類名】図面
【補正対象項目名】図９
【補正方法】変更
【補正の内容】
【図９】
2001201677.tif 000004